(57)【要約】【課題】使い易いスライド操作を実現できる入力装置を提供すること。【解決手段】基準電極数に対する電極数の変化率に応じてスライド量が予め設定されており、例えば、図３（ａ）に示す状態において、図３（ｂ）に示すように矢印キー３１が１本の指でタッチされると、基準電極数に対する電極数の変化率が「１」であるとして、１ファイル分左へスライド表示し、図３（ｂ）に示す状態から引続いて図３（ｃ）に示すように矢印キー３１が２本の指でタッチされると、基準電極数に対する電極数の変化率が「２」であるとして、３ファイル分左へスライド表示し、図３（ｃ）に示す状態から引続いて図３（ｄ）に示すように矢印キー３１が３本の指でタッチされると、基準電極数に対する電極数の変化率が「３」であるとして、５ファイル分左へスライド表示する。【選択図】図３
2010157047.tif 000002
【特許請求の範囲】
【請求項１】
画像を表示する表示手段と、その表示手段に表示する画像を制御する表示制御手段とを備え、その表示制御手段によって制御する画像に関する指示を入力する入力装置において、
前記指示として前記画像を所定のスライド量でスライド表示する指示が割当てられている検出領域のうち、入力媒体が接近、または、接触した領域を示す反応領域を検出する検出手段と、
その検出手段によって前記反応領域が検出された場合に前記指示を入力する入力手段と、
その入力手段によって入力された指示に従ってスライド表示を開始してから終了するまでのスライド表示期間の間、前記反応領域の面積変化を監視する監視手段と、
その監視手段によって前記面積変化が認められた場合に、その面積変化に応じて前記入力手段によって入力された所定のスライド量を変更するスライド量変更手段とを備えていることを特徴とする入力装置。
【請求項２】
基準面積に相当する値を取得する基準面積取得手段を備え、
前記入力手段は、
前記反応領域を入力領域として、その入力領域の面積に相当する値を取得する入力面積取得手段と、
前記基準面積取得手段によって取得される値に対する前記入力面積取得手段によって取得される値の変化に応じて、前記所定のスライド量を設定するスライド量設定手段とを備えていることを特徴とする請求項１に記載の入力装置。
【請求項３】
前記スライド量設定手段は、前記基準面積取得手段によって取得される値に対する前記入力面積取得手段によって取得される値の変化率に応じて、前記所定のスライド量を設定することを特徴とする請求項２に記載の入力装置。
【請求項４】
前記監視手段は、
前記反応面積を監視領域として、その監視領域の面積に相当する値を取得する監視面積取得手段と、
その監視面積取得手段によって取得される値が、前記基準面積取得手段によって取得される値に対して変化したかを判断する判断手段とを備え、
前記スライド量変更手段は、
前記判断手段によって変化したと判断された場合に、その変化に応じて前記所定のスライド量を変更することを特徴とする請求項２に記載の入力装置。
【請求項５】
前記スライド量変更手段は、前記基準面積取得手段によって取得される値に対する前記入力面積取得手段によって取得される値の変化率に応じて、前記所定のスライド量を変更することを特徴とする請求項４に記載の入力装置。
【請求項６】
前記入力手段は、
前記反応領域を入力領域として、その入力領域の面積に相当する値を取得する入力面積取得手段を備え、
前記監視手段は、
前記反応面積を監視領域として、その監視領域の面積に相当する値を取得する監視面積取得手段と、
その監視面積取得手段によって取得される値が、前記入力面積取得手段によって取得される値に対して変化したかを判断する判断手段とを備え、
前記スライド量変更手段は、
前記判断手段によって変化したと判断された場合に、その変化に応じて前記所定のスライド量を変更することを特徴とする請求項１に記載の入力装置。
【請求項７】
前記スライド量変更手段は、前記入力面積取得手段によって取得される値に対する前記監視面積取得手段によって取得される値の変化率に応じて、前記所定のスライド量を変更することを特徴とする請求項６に記載の入力装置。
【請求項８】
前記表示手段は、その表示領域内に前記検出領域を含み、
前記表示制御手段は、全長が前記画像の総数を示し、一端側から他端側までを所定ピッチで区画した各区間毎に前記画像を一枚ずつ割当てた棒状のスライドバーを前記検出領域に重ねて表示し、
前記入力手段は、前記反応領域に含まれている区間に対応付けられている画像が、前記表示手段に表示されるまでスライド表示する指示を入力し、
前記監視手段は、前記反応領域に含まれる区間が変化したかを監視し、
前記スライド量変更手段は、前記区間の変化が認められた場合に、スライド表示する位置を、変化後の区間に対応付けられている画像が前記表示手段に表示されるまでに変更することを特徴とする請求項１から７のいずれかに記載の入力装置。
【請求項９】
前記表示制御手段は、前記表示手段に表示する画像数に応じた長さで、前記反応領域に追従して前記スライドバー上を移動するスライダを表示し、
前記スライド量変更手段によってスライド量を変更する場合に、その変更量に応じて前記スライダの長さを変更して表示することを特徴とする請求項１から８のいずれかに記載の入力装置。
【発明の詳細な説明】
【技術分野】
【０００１】
本発明は、入力装置に関するものである。
【背景技術】
【０００２】
次の特許文献１には、タッチパネル２４の上面をタッチする指４２の本数に基づいて、ページめくりするページ数を変更する技術が記載されている。例えば、１本の指４２をタッチパネル２４にタッチさせ、右から左へ所定量Ｋ以上移動させた場合には、表示されているページを１ページ分めくり、２本の指４２をタッチパネル２４にタッチさせ、右から左へ所定量Ｋ以上移動させた場合には、表示されているページを２ページ分めくることが記載されている。  
【特許文献１】特開平８−７６９２６（段落第「００２６」等）
【発明の開示】
【発明が解決しようとする課題】
【０００３】
しかしながら、上述した特許文献１には、スライド操作に関する言及がなく、また、ページをめくる指示を入力するために、タッチパネル２４を何度もタッチする必要があり、ページをめくる指示を入力するのに手間であるという問題点があった。
【０００４】
また、一旦、タッチパネル２４がタッチされ、めくるページ数の指示が入力されると、そのタッチが解除されるまでは、入力された指示に従ってページがめくられるので、ページめくりを行っている間（タッチされている間）は、めくるページ数を変更することができない。
【０００５】
本発明は、上述した問題点を解決するためになされたものであり、使い易いスライド操作を実現できる入力装置を提供することを目的としている。
【課題を解決するための手段】
【０００６】
この目的を達成するために、請求項１記載の入力装置は、画像を表示する表示手段と、その表示手段に表示する画像を制御する表示制御手段とを備え、その表示制御手段によって制御する画像に関する指示を入力するものであって、前記指示として前記画像を所定のスライド量でスライド表示する指示が割当てられている検出領域のうち、入力媒体が接近、または、接触した領域を示す反応領域を検出する検出手段と、その検出手段によって前記反応領域が検出された場合に前記指示を入力する入力手段と、その入力手段によって入力された指示に従ってスライド表示を開始してから終了するまでのスライド表示期間の間、前記反応領域の面積変化を監視する監視手段と、その監視手段によって前記面積変化が認められた場合に、その面積変化に応じて前記入力手段によって入力された所定のスライド量を変更するスライド量変更手段とを備えている。
【０００７】
請求項２記載の入力装置は、請求項１記載の入力装置において、基準面積に相当する値を取得する基準面積取得手段を備え、前記入力手段は、前記反応領域を入力領域として、その入力領域の面積に相当する値を取得する入力面積取得手段と、前記基準面積取得手段によって取得される値に対する前記入力面積取得手段によって取得される値の変化に応じて、前記所定のスライド量を設定するスライド量設定手段とを備えている。
【０００８】
請求項３記載の入力装置は、請求項２に記載の入力装置において、前記スライド量設定手段は、前記基準面積取得手段によって取得される値に対する前記入力面積取得手段によって取得される値の変化率に応じて、前記所定のスライド量を設定する。
【０００９】
請求項４記載の入力装置は、請求項２に記載の入力装置において、前記監視手段は、前記反応面積を監視領域として、その監視領域の面積に相当する値を取得する監視面積取得手段と、その監視面積取得手段によって取得される値が、前記基準面積取得手段によって取得される値に対して変化したかを判断する判断手段とを備え、前記スライド量変更手段は、前記判断手段によって変化したと判断された場合に、その変化に応じて前記所定のスライド量を変更する。
【００１０】
請求項５記載の入力装置は、請求項４に記載の入力装置において、前記スライド量変更手段は、前記基準面積取得手段によって取得される値に対する前記入力面積取得手段によって取得される値の変化率に応じて、前記所定のスライド量を変更する。
【００１１】
請求項６記載の入力装置は、請求項１に記載の入力装置において、前記入力手段は、前記反応領域を入力領域として、その入力領域の面積に相当する値を取得する入力面積取得手段を備え、前記監視手段は、前記反応面積を監視領域として、その監視領域の面積に相当する値を取得する監視面積取得手段と、その監視面積取得手段によって取得される値が、前記入力面積取得手段によって取得される値に対して変化したかを判断する判断手段とを備え、前記スライド量変更手段は、前記判断手段によって変化したと判断された場合に、その変化に応じて前記所定のスライド量を変更する。
【００１２】
請求項７記載の入力装置は、請求項６に記載の入力装置において、前記スライド量変更手段は、前記入力面積取得手段によって取得される値に対する前記監視面積取得手段によって取得される値の変化率に応じて、前記所定のスライド量を変更する。
【００１３】
請求項８記載の入力装置は、請求項１から７のいずれかに記載の入力装置において、前記表示手段は、その表示領域内に前記検出領域を含み、前記表示制御手段は、全長が前記画像の総数を示し、一端側から他端側までを所定ピッチで区画した各区間毎に前記画像を一枚ずつ割当てた棒状のスライドバーを前記検出領域に重ねて表示し、前記入力手段は、前記反応領域に含まれている区間に対応付けられている画像が、前記表示手段に表示されるまでスライド表示する指示を入力し、前記監視手段は、前記反応領域に含まれる区間が変化したかを監視し、前記スライド量変更手段は、前記区間の変化が認められた場合に、スライド表示する位置を、変化後の区間に対応付けられている画像が前記表示手段に表示されるまでに変更する。
【００１４】
請求項９記載の入力装置は、請求項１から８のいずれかに記載の入力装置において、前記表示制御手段は、前記表示手段に表示する画像数に応じた長さで、前記反応領域に追従して前記スライドバー上を移動するスライダを表示し、前記スライド量変更手段によってスライド量を変更する場合に、その変更量に応じて前記スライダの長さを変更して表示する。
【発明の効果】
【００１５】
請求項１記載の入力装置によれば、ユーザにとっては、検出領域に接触させている入力媒体としての一例である指を、起すことで接触面積を減らしたり、寝かすことで接触面積を増やしたり、本数を増すことで接触面積を増やしたりするという簡単な操作で、検出領域に指を接触させたままの状態で、スライド表示される画像のスライド量を手間無く調節することができる。従って、使い易いスライド操作を実現することができるという効果がある。
【００１６】
請求項２記載の入力装置によれば、ユーザは、基準面積を認識していれば、当初のスライド量を、所望するスライド量に手間無く設定することができるという効果がある。
【００１７】
請求項３記載の入力装置によれば、ユーザ毎に、各ユーザに対応した基準面積を設定することで、各ユーザに拘らず同程度のスライド量を設定することができるという効果がある。
【００１８】
請求項４記載の入力装置によれば、ユーザは、基準面積を認識していれば、スライド表示中のスライド量を、所望するスライド量に手間無く設定することができるという効果がある。
【００１９】
請求項５記載の入力装置によれば、ユーザ毎に、各ユーザに対応した基準面積を設定することで、各ユーザに拘らず同程度のスライド量を設定することができるという効果がある。
【００２０】
請求項６記載の入力装置によれば、ユーザは、入力領域を基準として、スライド表示中のスライド量を、所望するスライド量に手間無く設定することができるという効果がある。
【００２１】
請求項７記載の入力装置によれば、ユーザ毎に基準面積を設定すること無く、各ユーザに拘らず同程度のスライド量を設定することができるという効果がある。
【００２２】
請求項８記載の入力装置によれば、スライド表示している間に、スライド表示終了地点を変更することができるという効果がある。
【００２３】
請求項９記載の入力装置によれば、スライド量をユーザに視覚的に認識させることができるという効果がある。
【発明を実施するための最良の形態】
【００２４】
以下、本発明の好ましい実施形態について、添付図面を参照して説明する。図１で多機能周辺装置の外観構成、図２で入力装置のハードウェア構成、図３〜図４で入力装置の操作の一例、図５〜図８で入力装置の表示更新処理を説明する。
【００２５】
図１は、本発明の入力装置の一例である多機能周辺装置（以下、「ＭＦＰ（Ｍｕｌｔｉ  Ｆｕｎｃｔｉｏｎ  Ｐｅｒｉｐｈｅｒａｌ）」と称す）１の外観構成を示した斜視図である。本実施形態のＭＦＰ１の正面上部には、操作キー１５に加えて、ＬＣＤ１６およびタッチパネル１７が配設されており、ユーザは、操作キー１５による入力操作か、又はタッチパネル１７による入力操作を行うことで、ＭＦＰ１の各種設定や各種制御を行うことができる。
【００２６】
このＭＦＰ１では、複数のファイルの中からユーザが所望する（例えば、印刷したい）ファイルを選択する場合には、ＬＣＤ１６においてファイルのスライド表示が行われる。スライド表示とは、ファイル数が多く全ファイルを一覧表示できない場合などに、全ファイルに対して連続する表示順序を付すと共に、全ファイルの中で表示順序が連続する所定数（例えば、６個）のファイルを、昇順（又は、降順）に並べた状態で表示する操作画面のことである。
【００２７】
このスライド表示では、表示中のファイルを一定数ずつ入れ替えながら表示していくことで、全ファイルを閲覧表示することができる。また、スライド表示では、表示中の一部（又は、全部）のファイルが表示順序の大きいファイルや、小さいファイルに入れ替えられる度に、各ファイルが昇順（又は、降順）に並び替えられるので、各ファイルが操作画面上を移動していくように（流れていくように）見える。
【００２８】
このＭＦＰ１は、ユーザがタッチパネル１７を操作して、スライド表示中のファイルを入れ替える場合に、その入れ替えるファイルの数（即ち、表示中のファイルの移動量）を、操作する指の本数（指の面積変化）で、感覚的に簡単に調整できるものである。
【００２９】
ＭＦＰ１は、電話回線網１００（図２参照）を介して接続される外部装置（非図示）とファクシミリ通信可能に構成されている。また、このＭＦＰ１は、プリンタ機能、スキャナ機能、及び、コピー機能などの各種機能も有している。
【００３０】
ＭＦＰ１には、正面上部に設けられる横長形状の操作パネル６が設けられている。この操作パネル６は、ＭＦＰ１を操作するためのものであり、操作キー１５と、ＬＣＤ１６と、タッチパネル１７とが主に設けられている。ユーザは、操作キー１５の各種ボタンを操作するか、又は、タッチパネル１７を操作することで、各種機能の設定や動作を実行することができる。
【００３１】
ＬＣＤ１６には、メニューや操作手順や実行中の処理の状態などが表示される。このＬＣＤ１６の表示面には、入力装置の一種であるタッチパネル１７が配設されている。ＬＣＤ１６に表示されている画像（例えば、画像で形成されたキー（以後、「画像キー」と称する））が、ユーザによって指で触れられると、ＬＣＤ１６の表示面に配設されたタッチパネル１７が指で触れられることになる。
【００３２】
このタッチパネル１７は、表面全体が碁盤の目のように細かく（例えば、１ｍｍ間隔）区分けされており、区分けされた各領域（以後、「検出領域」と称する）毎に、指の接触を検出する電極（センサ）が配設されている。なお、各検出領域の面積は、タッチパネル１７に接触するユーザの指の面積よりも十分に小さいため、ユーザの指がタッチパネル１７に触れると、その指で複数の検出領域が触れられることになる。
【００３３】
このタッチパネル１７では、指の接触が検出された場合、指で触れられている全ての検出領域が特定される。ＣＰＵ１１（図２参照）は、タッチパネル１７により検出された指の位置に応じて、具体的には、各検出領域の位置（各電極の位置）や、各検出領域の合計数（電極の合計数）に応じて、その指の位置に表示されている画像（例えば、画像キー）に対応する各処理を実行する。
【００３４】
次に、図２（ａ）を参照して、ＭＦＰ１の電気的構成について説明する。図２（ａ）は、ＭＦＰ１の電気的構成を示すブロック図である。ＭＦＰ１は、ＣＰＵ１１、ＲＯＭ１２、ＲＡＭ１３、フラッシュメモリ１４、操作キー１５、ＬＣＤ１６、タッチパネル１７、スキャナ２０、プリンタ２１、ＮＣＵ２３、モデム２４とを主に有している。
【００３５】
ＣＰＵ１１、ＲＯＭ１２、ＲＡＭ１３、フラッシュメモリ１４は、バスライン２６を介して互いに接続されている。また、操作キー１５、ＬＣＤ１６、タッチパネル１７、スキャナ２０、プリンタ２１、ＮＣＵ２３、モデム２４、バスライン２６は、入出力ポート２７を介して互いに接続されている。
【００３６】
ＣＰＵ１１は、ＲＯＭ１２やＲＡＭ１３やフラッシュメモリ１４に記憶される固定値やプログラム或いは、ＮＣＵ２３を介して送受信される各種信号に従って、ＭＦＰ１が有している各機能の制御や、入出力ポート２７と接続された各部を制御するものである。
【００３７】
ＲＯＭ１２は、ＭＦＰ１で実行される制御プログラムなどを格納した書換不能なメモリである。後述する図５のフローチャートに示す表示更新処理、図６のフローチャートに示すキー操作取得処理、図７のフローチャートに示すバー操作取得処理、図８のフローチャートに示すスライダ操作取得処理を実行する各プログラムは、このＲＯＭ１２に格納されている。
【００３８】
また、このＲＯＭ１２には、基準電極数パターンメモリ１２ａと、移動量選定テーブルメモリ１２ｂとが設けられている。
【００３９】
次に、図２（ｂ）を参照して、移動量選定テーブルの内容の一例について説明する。移動量選定テーブルは、スライド表示において表示中のファイルの移動量を設定するために参照されるテーブルである。この移動量選定テーブルは、電極数の変化率ａと、その電極数の変化率に対応する移動量とにより構成されている。
【００４０】
電極数の変化率ａは、タッチパネル１７の入力操作中に検出された電極数（具体的には、後述する操作中電極数メモリ１３ａの電極数）を、基準となる電極数（具体的には、後述する基準電極数メモリ１４ａの電極数）で除算した場合の演算結果を示し、移動量は、予め設定されているファイルの移動量に乗算すべき係数を示す。
【００４１】
例えば、移動量選定テーブルにおいて、電極数の変化率「ａ＝１」には、移動量「１」が対応付けられている。これは、ファイルの移動量が基本状態のまま変化しないことを示す。また、例えば、「１＜ａ≦１．５」という範囲の電極数の変化率ａには、「１．５」という移動量が対応付けられている。これは、ファイルの移動量が、基本状態よりも１．５倍増加することを示す。その他の電極数の変化率ａについての説明も同様となるので、その説明を省略する。
【００４２】
ここで、図２（ａ）の説明に戻り、電気的構成の説明を続ける。ＲＡＭ１３は、書換可能な揮発性のメモリであり、ＭＦＰ１の各操作の実行時に各種のデータを一時的に記憶するためのメモリである。ＲＡＭ１３には、操作中電極数メモリ１３ａが設けられている。
【００４３】
操作中電極数メモリ１３ａは、スライド表示中に、ユーザが画像キーに触れている間、その画像キーに対応する検出領域内で指の接触が検出されている電極の合計数を、操作中電極数として記憶するためのメモリである。
【００４４】
フラッシュメモリ１４は、書換可能な不揮発性のメモリであり、このフラッシュメモリ１４に記憶されたデータは、ＭＦＰ１の電源オフ後も保持される。フラッシュメモリ１４には、基準電極数メモリ１４ａが設けられている。基準電極数メモリ１４ａは、ユーザが普段タッチパネル１７を操作する場合に触れる電極数を、予め基準電極数として記憶するためのメモリである。
【００４５】
次に、図２（ｃ）を参照して、ユーザの指がタッチパネル１７に接触した場合に、接触が検出される電極の一例について説明する。図２（ｃ）は、ユーザの指がタッチパネル１７に接触した場合に、接触が検出される電極の一例を説明するための概略図である。なお、図２（ｃ）に示す各検出領域の大きさは、分かり易く説明するために拡大したものであり、実際の大きさとは異なる。
【００４６】
例えば、ＭＦＰ１の初期設定の際には、ユーザが普段タッチパネル１７を操作する場合と同様に、１本の指（例えば、人差し指）でタッチパネル１７に触れるよう要求がなされる。ここで、図２（ｃ）に示すように、ユーザが普段通りにタッチパネル１７に触れると、タッチパネル１７において指が接触している各電極が特定され、その電極の合計数がＣＰＵ１１により計数される。
【００４７】
そして、ＲＯＭ１２の基準電極数パターンメモリ１２ａに記憶されている各電極数の中から、計数された電極数に最も近い電極数が選択され、基準電極数として、フラッシュメモリ１４の基準電極数メモリ１４ａに記憶される。
【００４８】
このように、本実施形態では、ＭＦＰ１を使用するユーザの指の接触面積（電極数）を予め記憶させておくので、電極数の変化率ａを算出する場合に演算の精度を向上させることができる。即ち、この基準電極数を予め定数としておくと、指の太いユーザや、指の細い人ユーザなど、ＭＦＰ１を利用するユーザの指の接触面積に応じて、電極数の変化率ａの算出結果が変わってしまう。しかし、ＭＦＰ１を使用するユーザの指の接触面積（電極数）を予め記憶させておくことで、ユーザの指の太さや、ユーザの指の接触面積に関わらず、電極数の変化率ａを精度良く算出することができる。
【００４９】
次に、図３および図４を参照して、タッチパネル１７の操作方法の一例について説明する。図３（ａ）は、ＬＣＤ１６に表示されるスライド表示の一例を示す概略図であり、図３（ｂ）〜（ｄ）は、スライド表示の右スクロールキー３１の操作方法の一例を説明するための概略図である。
【００５０】
まず、図３（ａ）を参照して、ＬＣＤ１６に表示されるスライド表示について説明する。図３（ａ）に示すように、例えば、スライド表示の際には、ＬＣＤ１６の上方から下方に向かって順に、操作画面のタイトルと、ファイルが表示されるファイル表示エリア５１内に所定数（例えば、６個）のファイルと、右スクロールキー３１と、左スクロールキー３２と、スライドバー３３と、スライダ３４とが表示される。
【００５１】
ファイル表示エリア５１内には、ファイルの表示順序が左端から右端に向かって順番に大きくなるように、所定数（例えば、６個）のファイルが表示される。なお、ファイルの表示順序を分かり易くするために、表示中の各ファイル上には、それぞれファイルの表示順序を付している。つまり、図３（ａ）では、表示順序「１〜６」までの各ファイルが表示されていることを示している。
【００５２】
次に、図３（ｂ）〜図３（ｄ）を参照して、スライド表示の右スクロールキー３１の操作方法の一例について説明する。なお、初期設定では、ユーザが１本の指でタッチパネル１７に触れて、基準電極数を設定したものとして説明する。
【００５３】
図３（ａ）に示す状態から、図３（ｂ）に示すように、ユーザが１本の指で、右スクロールキー３１に触れると、表示中のファイルが１つ、表示順序が大きくなるように入れ替えられる。
【００５４】
上述した通り、基準電極数の設定は、ユーザが１本の指で行っているので、ユーザが１本の指で入力操作を行っている間は、電極数の変化率ａ（＝操作中電極数÷基準電極数）は「１」のまま変化しない。そして、移動量選定テーブルメモリ１２ｂの移動量選定テーブル（図２（ｂ）参照）が参照され、電極数の変化率ａ「１」に対応するファイルの移動量「１」が取得される。しかし、取得された移動量は「１」なので、ファイルの移動量は変更されない（基準の１倍に設定される）。
【００５５】
上述した図３（ｂ）に示す状態に続けて、図３（ｃ）に示すように、ユーザが指をもう１本増やして（指を２本にして）、矢印キー３１に触れると、表示中のファイルが３つ、表示順序が大きくなるように入れ替えられる。
【００５６】
ユーザが指の本数を２本に増やすと、１本（基準）の場合と比較して検出される電極数が２倍になるので、電極数の変化率ａが「２」となる。よって、移動量選定テーブル（図２（ｂ）参照）が参照されると、電極数の変化率ａ「２」に対応するファイルの移動量「３」が取得される。従って、ファイルの移動量は、基準の３倍に設定される。
【００５７】
上述した図３（ｃ）に示す状態に続けて、図３（ｄ）に示すように、ユーザが指をもう１本増やして（指を３本にして）、矢印キー３１に触れると、表示中のファイルが５つ、表示順序が大きくなるように入れ替えられる。
【００５８】
ユーザが指の本数を３本に増やすと、１本（基準）の場合と比較して検出される電極数が３倍になるので、電極数の変化率ａが「３」となる。よって、移動量選定テーブル（図２（ｂ）参照）が参照されると、電極数の変化率ａ「３」に対応するファイルの移動量「５」が取得される。従って、ファイルの移動量は、基準の５倍に設定される。
【００５９】
なお、図示はしないが、左スクロールキー３２がユーザにより触れられている間は、上述した説明内容と同様に、ユーザの指の本数の変化量に応じて、表示順序の大きいファイルが入れ替えられ、表示順序のより小さいファイルが、ファイル表示エリア５１内に表示される。
【００６０】
次に、図４を参照して、タッチパネル１７の操作方法の一例について説明する。なお、初期設定では、ユーザが１本の指でタッチパネル１７に触れて、基準電極数を設定したものとして説明する。
【００６１】
図４（ａ），（ｂ）は、スライド表示のスライドバー３３の操作方法の一例を説明するための概略図であり、図４（ｃ），（ｄ）は、スライド表示のスライダ３４の操作方法の一例を説明するための概略図である。
【００６２】
まず、スライドバー３３の操作方法の一例について説明する。図３（ａ）に示す状態から、図４（ａ）に示すように、ユーザが１本の指で、スライドバー３３の全領域の中で、スライダ３４よりも右側の領域に触れると、表示中のファイルが６個全て、表示順序が大きくなるように入れ替えられる。
【００６３】
上述した図４（ａ）に示す状態に続けて、図４（ｂ）に示すように、ユーザが指をもう１本増やして（指を２本にして）、スライドバー３３に触れると、ファイルの移動量は基準の３倍に設定されるので、表示中のファイルが６個全て、表示順序を１８ファイル分跳ばして、表示順序が大きくなるように入れ替えられる。
【００６４】
なお、図示はしないが、スライドバー３３の全領域の中で、スライダ３４よりも左側の領域が、ユーザにより触れられている間は、上述した説明内容と同様に、ユーザの指の本数の変化量に応じて、表示中のファイルが６個全て、表示順序が小さくなるように入れ替えられて、ファイル表示エリア５１内に表示される。
【００６５】
次に、スライダ３４の操作方法の一例について説明する。図３（ａ）に示す状態から、図４（ｃ）に示すように、ユーザが１本の指でスライダ３４に触れた状態で、その指を右方向に動かすと、その指を追従するようにスライダ３４の表示位置が移動する。すると、右方向に移動したスライダ３４の表示位置に応じたファイルが、表示中のファイルと入れ替えられて表示されるので、表示順序の大きいファイルが表示される。
【００６６】
例えば、右方向に動かしたスライダ３４の表示位置が、全ファイルの表示順序の「１１〜１６」に対応する位置であれば、ファイル表示エリア５１内に表示されていた表示順序「１〜６」までの全ファイルが、図４（ｃ）に示すように、表示順序「１１〜１６」のファイルに入れ替えられる。
【００６７】
上述した図４（ｄ）に示す状態に続けて、図４（ｄ）に示すように、ユーザが指をもう１本増やして（指を２本にして）、スライダ３４に触れると、ファイルの移動量は基準の３倍に設定されるので、表示中のファイルが６個から１８個に増加する。また、スライダ３４の幅が３倍に延長される。
【００６８】
具体的には、ファイル表示エリア５１内に表示されていた表示順序「１１〜１６」までの全ファイルに加えて、図４（ｄ）に示すように、表示順序「１７〜２８」までのファイルが同時に表示される。よって、図４（ｄ）に示すように、ファイル表示エリア５１内には、表示順序「１１〜２８」までの１８個のファイルが表示される。
【００６９】
また、表示中のファイルの数が、６個から１８個（３倍）に変更されるので、全ファイルの数に対する現在表示中のファイル数の割合も変わり、その結果、スライダ３４の幅が３倍延長して表示される。
【００７０】
ユーザは、このスライダ３４に触れた状態で、その指を右方向、又は、左方向に動かすことで、通常（基準）よりも多くのファイルを表示させつつ、スライダ３４の表示位置を変更できる。スライダ３４の表示位置が変更されると、その位置に応じたファイルが、ファイル表示エリア５１内に表示される。
【００７１】
次に、図５を参照して、ＭＦＰ１のＣＰＵ１１により実行される表示更新処理について説明する。表示更新処理は、ユーザの入力操作に応じて、スライド表示中のファイルを入れ替えるための処理であり、ＭＦＰ１の主電源が投入されてから主電源が遮断されるまで繰り返し実行される処理である。
【００７２】
この表示更新処理では、まず、ユーザによりタッチパネル１７が操作されたかを判定し（Ｓ１）、ユーザによりタッチパネル１７が操作されるまで、待機する（Ｓ１：Ｎｏ）。ユーザによりタッチパネル１７が操作された場合は（Ｓ１：Ｙｅｓ）、ユーザによりスライド表示の右スクロールキー３１、又は、左スクロールキー３２が操作されたかを判定する（Ｓ２）。
【００７３】
右スクロールキー３１、又は、左スクロールキー３２が操作された場合は（Ｓ２：Ｙｅｓ）、キー操作取得処理を実行して（Ｓ３）、上述したＳ１〜Ｓ３の各処理を繰り返す。なお、詳細については後述するが、キー操作取得処理は、ユーザが触れているスクロールキー３１，３２の種類と、その触れている指の本数の変化量とに応じて、スライド表示中のファイルを入れ替えるための処理である。
【００７４】
一方、各スクロールキー３１，３２が操作されていない場合は（Ｓ２：Ｎｏ）、ユーザによりスクロールバー３３が操作されたかを判定する（Ｓ４）。スクロールバー３３が操作された場合は（Ｓ４：Ｙｅｓ）、バー操作取得処理を実行して（Ｓ５）、上述したＳ１〜Ｓ５の各処理を繰り返す。
【００７５】
なお、詳細については後述するが、バー操作取得処理は、ユーザが触れているスクロールバー３３の位置と、その触れている指の本数の変化量とに応じて、スライド表示中のファイルを入れ替えるための処理である。
【００７６】
一方、スクロールバー３３が操作されていない場合は（Ｓ４：Ｎｏ）、ユーザによりスライダ３４が操作されたかを判定する（Ｓ６）。スライダ３４が操作された場合は（Ｓ６：Ｙｅｓ）、スライダ操作取得処理を実行して（Ｓ７）、上述したＳ１〜Ｓ７の各処理を繰り返す。
【００７７】
なお、詳細については後述するが、スライダ操作取得処理は、ユーザがスライダ３４に触れている状態で移動させる指の移動方向と、その触れている指の本数の変化量とに応じて、スライド表示中のファイルを入れ替えるための処理である。
【００７８】
一方、スライダ３４が操作されていない場合は（Ｓ６：Ｎｏ）、タッチパネル１７において、各スクロールキー３１，３２、スクロールバー３３、及び、スライダ３４とは関係の無い領域が触れられている場合であるので、何もせずに、Ｓ１の処理に戻り、上述したＳ１〜Ｓ６の各処理を繰り返す。
【００７９】
次に、図６を参照して、ＭＦＰ１のＣＰＵ１１により実行されるキー操作取得処理（Ｓ３）について説明する。キー操作取得処理の中で、同一の処理を実行するステップについては、同一の符号を付してその説明を省略する。
【００８０】
このキー操作取得処理（Ｓ３）は、ユーザが触れているスクロールキー３１，３２の種類と、その触れている指の本数の変化量とに応じて、スライド表示中のファイルを入れ替えるための処理である。
【００８１】
キー操作取得処理では、まず、右スクロールキー３１にユーザの指が接触しているかを判定し（Ｓ１１）、右スクロールキー３１にユーザの指が接触している場合は（Ｓ１１：Ｙｅｓ）、右スクロールキー３１内で、指の接触が検出されている電極（検出領域）の合計数を取得する（Ｓ１２）。
【００８２】
次に、取得した電極の数を、操作中電極数として、ＲＡＭ１３の操作中電極数メモリ１３ａに記憶する（Ｓ１３）。次に、フラッシュメモリ１４の基準電極数メモリ１４ａに記憶されている基準電極数と、操作中電極数メモリ１３ａの操作中電極数とを用いて、「操作中電極数÷基準電極数」を演算し、電極数の変化率ａを算出する（Ｓ１４）。
【００８３】
次に、ＲＯＭ１２の移動量選定テーブルメモリ１２ｂの移動量選定テーブルを参照して、Ｓ１４の処理で算出した電極数の変化率ａに対応する移動量を取得する（Ｓ１５）。
【００８４】
そして、スライド表示において、ファイル表示エリア５１内に表示されているファイルを、Ｓ１５の処理で取得した移動量に応じた数だけ、ファイルの表示順序の大きいものに入れ替えて表示し（Ｓ１６）、Ｓ１９の処理に移行する。
【００８５】
例えば、Ｓ１５の処理で取得した移動量が「３」であれば、ファイル表示エリア５１内に表示されているファイルのうち、ファイルの表示順序が小さいものから順に３個のファイルが、表示順序の大きいファイルに入れ替えられる。
【００８６】
Ｓ１１の処理において、右スクロールキー３１にユーザの指が接触していない場合は（Ｓ１１：Ｎｏ）、ユーザの指が左スクロールキー３２に接触している場合である。この場合は、左スクロールキー３２内で、指の接触が検出されている電極（検出領域）の合計数を取得する（Ｓ１７）。
【００８７】
そして、上述したＳ１３〜Ｓ１５の処理と同様に各処理を実行した後、スライド表示において、ファイル表示エリア５１内に表示されているファイルを、Ｓ１５の処理で取得した移動量に応じた数だけ、ファイルの表示順序の小さいものに入れ替えて表示し（Ｓ１８）、Ｓ１９の処理に移行する。
【００８８】
例えば、Ｓ１５の処理で取得した移動量が「５」であれば、ファイル表示エリア５１内に表示されているファイルのうち、ファイルの表示順序が大きいものから順に５個のファイルが、表示順序の小さいファイルに入れ替えられる。
【００８９】
そして、Ｓ１９の処理では、Ｓ１６の処理、又は、Ｓ１８の処理によって表示が更新された各ファイルの表示順序に応じて、スライド表示におけるスライダ３４の表示位置を更新する（Ｓ１９）。次に、ユーザの指が、右スクロールキー３１、又は、左スクロールキー３２から離れたかを判定し（Ｓ２０）、ユーザの指がスクロールキー３１，３２に接触している場合は（Ｓ２０：Ｎｏ）、上述した各Ｓ１１〜Ｓ２０の各処理を繰り返す。
【００９０】
一方、ユーザの指がスクロールキー３１，３２から離れた場合は（Ｓ２０：Ｙｅｓ）、このキー操作取得処理を終了する。
【００９１】
以上の図６のフローチャートのキー操作取得処理により、ユーザが触れているスクロールキー３１，３２の種類と、その触れている指の本数の変化量とに応じて、スライド表示中のファイルを入れ替えることができる。
【００９２】
また、スクロールキー３１，３２が操作されている間（ユーザの指が触れている間）に、触れている指の本数が変化した場合には、その変化量に応じてファイルの移動量（即ち、入れ替えるファイルの数）を変更できる。
【００９３】
よって、ユーザは、スクロールキー３１，３２に触れている間に、触れている指の本数を変化させれば、ファイル表示エリア５１内に表示されるファイルの移動量を変化させることができる。従って、ユーザは、ファイル表示エリア５１内に表示されるファイルの移動量を感覚的に簡単に調整できる。
【００９４】
次に、図７を参照して、ＭＦＰ１のＣＰＵ１１により実行されるバー操作取得処理（Ｓ５）について説明する。バー操作取得処理を説明するにあたり、上述した図６のキー操作取得処理と同一の処理を実行するステップについては、同一の符号を付してその説明を省略する。
【００９５】
このバー操作取得処理（Ｓ５）は、ユーザが触れているスクロールバー３３の位置と、その触れている指の本数の変化量とに応じて、スライド表示中のファイルを入れ替えるための処理である。
【００９６】
バー操作取得処理では、まず、スクロールバー３３内で、スライダ３４よりも右側の領域にユーザの指が接触しているかを判定する（Ｓ３１）。スクロールバー３３内で、スライダ３４よりも右側の領域にユーザの指が接触している場合は（Ｓ３１：Ｙｅｓ）、スライダ３４よりも右側に位置するスクロールバー３３内で、指の接触が検出されている電極（検出領域）の合計数を取得する（Ｓ３２）。
【００９７】
そして、Ｓ１３〜Ｓ１５の各処理を順番に実行した後、スライド表示において、ファイル表示エリア５１内に表示されているファイル全てを、ファイルの表示順序の大きいものに、Ｓ１５の処理で取得した移動量に応じた数のファイル分を跳ばして入れ替えて表示し（Ｓ３３）、Ｓ３６の処理に移行する。
【００９８】
例えば、Ｓ１５の処理で取得した移動量が「３」であれば、ファイル表示エリア５１内に表示されているファイルが全て、ファイルの表示順序が大きいファイルに入れ替えられるが、ファイルの表示順序を１８ファイル分跳ばして入れ替えられる。また、Ｓ１５の処理で取得した移動量が「１」であれば、ファイル表示エリア５１内に表示されているファイルが全て、ファイルの表示順序の大きいファイルに、跳ばされること無く入れ替えられる。
【００９９】
Ｓ３１の処理において、スクロールバー３３内で、スライダ３４よりも右側の領域にユーザの指が接触していない場合は（Ｓ３１：Ｎｏ）、ユーザの指が、スライダ３４よりも左側に位置するスクロールバー３３内に接触している場合である。この場合は、スライダ３４よりも左側に位置するスクロールバー３３内で、指の接触が検出されている電極（検出領域）の合計数を取得する（Ｓ３４）。
【０１００】
そして、Ｓ１３〜Ｓ１５の各処理を順番に実行した後、スライド表示において、ファイル表示エリア５１内に表示されているファイル全てを、ファイルの表示順序の小さいものに、Ｓ１５の処理で取得した移動量に応じた数のファイル分を跳ばして入れ替えて表示し（Ｓ３５）、Ｓ３６の処理に移行する。
【０１０１】
例えば、Ｓ１５の処理で取得した移動量が「３」であれば、ファイル表示エリア５１内に表示されているファイルが全て、ファイルの表示順序の小さいファイルに入れ替えられるが、ファイルの表示順序を１８ファイル分跳ばして入れ替えられる。
【０１０２】
そして、Ｓ３６の処理では、Ｓ３３の処理、又は、Ｓ３５の処理によって表示が更新された各ファイルの表示順序に応じて、スライド表示におけるスライダ３４の表示位置を更新する（Ｓ３６）。次に、スライダ３４が、ユーザの指の接触位置に到達したかを判定し（Ｓ３７）、スライダ３４が、ユーザの指の接触位置に到達した場合は（Ｓ３７：Ｙｅｓ）、このバー操作取得処理を終了する。
【０１０３】
よって、スライダ３４の表示位置が、ユーザの指の接触位置に到達するまでは、ファイル表示エリア５１内に表示されているファイルが、定期的（例えば、２秒毎）に更新されていくことになる。
【０１０４】
従って、スライダ３４の表示位置が、ユーザの指の接触位置に到達する前であれば、ユーザは、指の接触位置を別の位置に変更して、ファイルの更新終了時にファイル表示エリア５１内に表示されるファイル内容を変更できる。
【０１０５】
一方、Ｓ３７の処理において、スライダ３４が、ユーザの指の接触位置に到達していない場合は（Ｓ３７：Ｎｏ）、ユーザの指が、スクロールバー３３から離れたかを判定する（Ｓ３８）。
【０１０６】
ユーザの指が、スクロールバー３３に接触している場合は（Ｓ３８：Ｎｏ）、上述した各Ｓ３１〜Ｓ３８の各処理を繰り返す。一方、ユーザの指がスクロールバー３３から離れた場合は（Ｓ３８：Ｙｅｓ）、このバー操作取得処理を終了する。
【０１０７】
以上の図７のフローチャートのバー操作取得処理により、ユーザが触れているスクロールバー３３の位置と、その触れている指の本数の変化量とに応じて、スライド表示中のファイルを入れ替えることができる。
【０１０８】
また、スクロールバー３３が操作されている間（ユーザの指が触れている間）に、触れている指の本数が変化した場合には、その変化量に応じてファイルの移動量（即ち、入れ替えるファイルの数）を変更できる。
【０１０９】
よって、ユーザは、スクロールバー３３に触れている間に、触れている指の本数を変化させれば、ファイル表示エリア５１内に表示されるファイルの移動量を変化させることができる。従って、ユーザは、ファイル表示エリア５１内に表示されるファイルの移動量を感覚的に簡単に調整できる。
【０１１０】
次に、図８を参照して、ＭＦＰ１のＣＰＵ１１により実行されるスライダ操作取得処理（Ｓ７）について説明する。スライダ操作取得処理を説明するにあたり、上述した図６のキー操作取得処理と同一の処理を実行するステップについては、同一の符号を付してその説明を省略する。
【０１１１】
このスライダ操作取得処理（Ｓ７）は、ユーザがスライダ３４に触れている状態で移動させる指の移動方向と、その触れている指の本数の変化量とに応じて、スライド表示中のファイルを入れ替えるための処理である。
【０１１２】
スライダ操作取得処理では、まず、スライダ３４内で、指の接触が検出されている電極（検出領域）の合計数を取得する（Ｓ４１）。そして、Ｓ１３〜Ｓ１５の各処理を順番に実行した後、スライド表示において、スライダの幅を、Ｓ１５の処理で取得した移動量に応じた長さに設定する（Ｓ４２）。例えば、Ｓ１５の処理で取得した移動量が「３」であれば、スライダの長さが３倍に設定される。よって、スライド量をユーザに視覚的に認識させることができる。
【０１１３】
次に、予め設定されている（ファイル表示エリア５１内に表示される）ファイルの表示数（本実施形態では、６個）に、Ｓ１５の処理で取得した移動量に応じた数を乗算し（Ｓ４３）、演算結果に応じた数のファイルを、ファイル表示エリア５１内に表示する（Ｓ４４）。
【０１１４】
例えば、Ｓ１５の処理で取得した移動量が「３」であれば、ファイル表示エリア５１内に表示されているファイルの数が３倍となるので、ファイル表示エリア５１内には、合計１８個のファイルが表示される。よって、スライド量をユーザに視覚的に認識させることができる。
【０１１５】
次に、スライダ３４に触れているユーザの指の位置が移動したかを判定し（Ｓ４５）、スライダ３４に触れているユーザの指の位置が移動していない場合は（Ｓ４５：Ｎｏ）、上述したＳ４１〜Ｓ４５の各処理を繰り返す。
【０１１６】
一方、スライダ３４に触れているユーザの指の位置が移動した場合は（Ｓ４５：Ｙｅｓ）、移動したユーザの指の位置に重なるように、スライダ３４を表示する（Ｓ４６）。そして、移動したユーザの指の位置に応じて、ファイル表示エリア５１内に表示しているファイルを入れ替えて表示する（Ｓ４７）。
【０１１７】
例えば、ユーザがスライダ３４に触れた状態で、その指を右方向に移動させると、指が接触している位置に追従するように、スライダ３４の表示位置が変更される。スライダ３４の表示位置が変更されると、ファイルの表示数が増加している状態で、右方向に移動したスライダ３４の表示位置に対応する各ファイルが、ファイル表示エリア５１内に表示される。なお、ユーザがスライダ３４に触れた状態で、その指を左方向に移動させた場合については、スライダ３４の表示位置が左方向に移動するので、表示順序の小さいファイルが、ファイル表示エリア５１内に表示されることになる。
【０１１８】
そして、ユーザの指が、スライダ３４から離れたかを判定し（Ｓ４８）、ユーザの指が、スライダ３４に接触している場合は（Ｓ４８：Ｎｏ）、上述したＳ４１〜Ｓ４８の各処理を繰り返す。一方、ユーザの指がスライダ３４から離れた場合は（Ｓ４８：Ｙｅｓ）、このスライダ操作処理を終了する。
【０１１９】
以上の図８のフローチャートのスライダ操作取得処理により、ユーザがスライダ３４に触れている状態で移動させる指の移動方向と、その触れている指の本数の変化量とに応じて、スライド表示中のファイルを入れ替えることができる。
【０１２０】
また、スライダ３４が操作されている間（ユーザの指が触れている間）に、触れている指の本数が変化した場合には、その変化量に応じて、ファイル表示エリア５１内に表示するファイルの数を変更できる。
【０１２１】
よって、ユーザは、スライダ３４に触れている間に、触れている指の本数を変化させれば、ファイル表示エリア５１内に表示されるファイルの数を変化させることができる。従って、ユーザは、ファイル表示エリア５１内に表示されるファイルの数を感覚的に簡単に調整できる。
【０１２２】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【０１２３】
例えば、本実施形態では、ＲＯＭ１２の基準電極数パターンメモリ１２ａに、基準電極数とする電極数を予め複数格納しているが、この基準電極数パターンメモリ１２ａを止めて、ユーザの指が画像キーに接触する度に、最初に接触が検出された際の電極の合計数を、基準電極数としてフラッシュメモリ１４の基準に記憶するように構成しても良い。このように構成すれば、特に、不特定多数のユーザがＭＦＰ１を利用する場合に、ユーザ毎に基準電極数を設定することが不用となり、また、ユーザがＭＦＰ１を利用する度に、基準電極数を自身の値に設定することも不用となるので、ユーザの使い勝手が良い。また、基準電極数パターンメモリ１２ａ不用となるので、ＲＯＭ１２の空き容量を増やすことができ、他の処理に関するプログラムなどを追加することができる。
【０１２４】
また、本実施形態では、予め移動量選定テーブルを用意しているが、ユーザ自身が、この移動量選定テーブル内の各パラメータ（電極数の変化率ａの範囲、および、それに対応する移動量）を任意に設定できるように構成しても良い。このように構成すれば、ユーザの所望する移動量に設定できるので、ユーザの使い勝手がより良くなる。
【図面の簡単な説明】
【０１２５】
【図１】本発明の入力装置の一例であるＭＦＰの外観構成を示した斜視図である。
【図２】（ａ）は、ＭＦＰの電気的構成を示すブロック図であり、（ｂ）は、移動量選定テーブルの内容の一例を示す概略図であり、（ｃ）は、ユーザの指がタッチパネルに接触した場合に、接触が検出される電極の一例を説明するための概略図である。
【図３】（ａ）は、ＬＣＤに表示されるスライド表示の一例を示す概略図であり、（ｂ）〜（ｄ）は、スライド表示の右スクロールキーの操作方法の一例を説明するための概略図である。
【図４】（ａ），（ｂ）は、スライド表示のスライドバーの操作方法の一例を説明するための概略図であり、（ｃ），（ｄ）は、スライド表示のスライダの操作方法の一例を説明するための概略図である。
【図５】ＭＦＰの表示更新処理を示すフローチャートである。
【図６】ＭＦＰのキー操作取得処理を示すフローチャートである。
【図７】ＭＦＰのバー操作取得処理を示すフローチャートである。
【図８】ＭＦＰのスライダ操作取得処理を示すフローチャートである。
【符号の説明】
【０１２６】
１          ＭＦＰ（入力装置の一例）
１６        ＬＣＤ（表示手段の一例）
１７        タッチパネル（検出手段の一例）
Ｓ２        入力手段の一例
Ｓ１２      入力面積取得手段の一例
Ｓ１２      監視面積取得手段
Ｓ１４      基準面積取得手段
Ｓ１５      スライド量変更手段の一例
Ｓ１９      表示制御手段の一例
【図１】
2010157047.tif 000003
【図２】
2010157047.tif 000004
【図３】
2010157047.tif 000005
【図４】
2010157047.tif 000006
【図５】
2010157047.tif 000007
【図６】
2010157047.tif 000008
【図７】
2010157047.tif 000009
【図８】
2010157047.tif 000010